(57)【要約】【課題】本発明は睡眠時の気道確保を目的としたイビキ防止具に関する。【解決手段】頭部バンド、頭部後屈調節バンド、腹部バンドからなる装具であって、この装具は弾性帯からなり、それぞれが独立しないようにあらかじめ頭部バンドと腹部バンドを頭部後屈調節バンドで連結し、臥床した状態で調節出来るように体の前面での付け外しが可能である事を特徴とするイビキ防止具。【選択図】図１
2007144076.tif 000002
【特許請求の範囲】
【請求項１】
頭部バンド、頭部後屈調節バンド、腹部バンドからなる装具であって、この装具は弾性帯からなり、それぞれが独立しないようにあらかじめ頭部バンドと腹部バンドを頭部後屈調節バンドで連結し、臥床した状態で調節出来るように体の前面での付け外しが可能である事を特徴とするイビキ防止具。
【請求項２】
前記バンドの全部又は一部の素材を弾性帯以外の固定部材で形成してなる請求項１記載のイビキ防止具。
【請求項３】
前記バンドの全部又は一部が二本〜数本で形成してなる請求項１又は２記載のイビキ防止具。
【発明の詳細な説明】
【技術分野】
【０００１】本発明は睡眠時の気道確保を目的としたイビキ防止具に関する。
【背景技術】
【０００２】近年、飽食、栄養過多に比例し肥満が増えてきている。肥満の大多数は気道周囲の軟部組織への脂肪沈着を認め、睡眠時にこの沈下による気道閉塞を原因としたイビキで悩まされることが多い。これはやがて睡眠時無呼吸症候群を引き起こし、高血圧や脳梗塞、心筋梗塞といった重篤な合併症を引き起こすことが懸念されている。一方救急医療の現場では意識障害や呼吸停止、心停止が生じた際にみられる舌根沈下による気道閉塞の回避手段として下顎挙上や頭部後屈、側臥位を取らせるなどの方法がある。本発明はこの気道確保の手段の中でも特に頭部後屈の原理に注目し、イビキ患者における気道確保法を発明した。肥満者や夜間無呼吸症候群患者の夜間の気道閉塞や迷惑な重度のイビキも、この原理を利用した発明を装着することで多少なりとも緩和できることが期待される。従来の発明の中に、これと同様の原理を用いたイビキ防止具があるが（特許文献１参照）これは下記特開の様なうなだれない姿勢を保つ発明であり、頭部と腰・大腿部の固定部材を体の後ろで引っ張りあい、更に下顎吊り上げベルトで下顎を支え、口を開かなくすることで特徴づけられるイビキ防止具である。
【特許文献１】特開平０７−１３６２０６
【発明の開示】
【発明が解決しようとする課題】
【０００３】従来のこの発明の問題点として、睡眠時に常に正面位（正中位）での頭部後屈を否応無しに強いられるという点がある。常に一定の場所、一定の張力で引っ張られ、頭部を固定された態勢の人間は、いくら睡眠時とはいえ多大なるストレスを感じるものである。この状態での睡眠は、大袈裟に言えば手足を縛られ自由の利かなくなった囚人の如く体に不快感やストレスを与え、筋肉の緊張を引き起こし、結果的に慢性的な肩こりや筋違え等を起こすきっかけにもなりかねない。これは早急に改善しなければならない重大な問題点であると考えられる。【０００４】もう一つの重大な問題点は、背中を通った一本の張力バンドで固定するせいで、最も効果を発揮しなければならない臥位での、しかも枕をした状態でのバンドの調節に無理があるという点である。臥位での姿勢ではどうしてもそのバンドが背中と床に挟まれてしまい、求められる張力は得られないのである。側臥位ならともかく、仰臥位には背中のバンドは適さないばかりか意味を成さないのである。【０００５】更なる問題点として下顎を支えるバンドが挙げられる。この存在は医学的にも理解不可解である。下顎挙上を期待したものかイビキ音を消すための閉口バンドなのだろうが、当然の事ながら閉口にても気道閉塞があればイビキはおこしてしかるべきである。口を紡いで音を消したところで何の解決になろうか。間違いなく下顎挙上にもなりえない。更に口を紡いで睡眠した場合、イビキの原因にもなる鼻閉患者などはどこで呼吸をするのだろうか。大げさに言えば、時と場合により窒素死の原因にもなりかねない致命的ともいえる問題点であろう。無用の産物である。【０００６】また大腿部にまで装着しないと器具を保持できないほど不安定な装置と見受けられるが、医学的見地からは長時間のバンド類の大腿部への固定は下肢静脈瘤形成や血栓形成など、重篤な血行障害を来たす危険性があり、重大な問題点と考えられる。体幹の大血管系は背骨に守られていること、解剖学的に後方に存在することより縛り上げにての血管トラブルは少ないが、大腿のように脈管系が表在に位置する部位での長時間の圧迫、縛り上げは下肢静脈血栓症や静脈瘤形成、最悪は動脈閉塞をもたらす危険性に富んでおり回避すべきポイントである。しかも後ろからの張力は表面の圧迫を更に強くする為危険度が増すと考えられる。
【課題を解決するための手段】
【０００７】本発明の要旨とするところは頭部バンド、頭部後屈調節バンド、腹部バンドの三本からなるイビキ防止具である。この三本は弾性帯で、それぞれが独立しないようにあらかじめ頭部バンドと腹部バンドを頭部後屈調節バンドで連結した形となっている。臥床した状態で調節出来るよう、全てのバンドは体の前面での付け外しが可能となっている。バンドが背中と床に挟まれないように背中の頭部後屈調節バンドを左右にわけている。このため臥位でも枕をした状態ででも張力を自由に体の前で盲目的にでも調整できる。更に、行きたい方向へ行った頭部を、それに応じて引っ張り場所をずらすことが出来る工夫がなされている。つまり右へ向かえば右で引っ張り、左へ向かえば左で引っ張ることが出来るのである。更に現在では下顎挙上の原理を用いた商品は医療保険適応にもなっている口腔内器具に勝るものはないと言っても過言では無く、下顎吊り上げバンドは不要な産物であると考え本発明では除去している。また本発明では脈管系に支障を及ぼす危険性のある大腿部での圧迫、縛り上げは回避されている。目立ち難さや使い心地、携帯性の面からも優れた発明であると考えられる。
【発明の効果】
【０００８】本発明は救急医療の現場で行われている気道確保の手技のうち、頭部後屈の原理を利用したものであり、肥満者などに認められるイビキの軽減に効果があると期待される。現在のイビキ患者のもたらす最悪の事態は夜間睡眠時無呼吸であり、重症であると命に関わる。本発明はイビキの緩和に効果的であるが、結果的にこのような最悪の病態をも防ぐことが出来る可能性がある。しかも本発明は自由な頭位の変換にも対応可能であり、常に頭部後屈の体位が保たれる結果イビキを軽減できる。また無理な位置、無理な外力で頭部を引っ張ることが無いため、肩こりなど不要な併発症やストレスを引き起こすリスクが少ない。余計な装置が無くコンパクトに仕上がっており見栄えも良く、しかもバンドの装着、離脱、調節が体の前で容易に行え、予期せぬ災害・災難時の脱着の対応も十分であると考えられる。
【発明を実施するための最良の形態】
【０００９】本発明は頭部バンド、頭部後屈調節バンド、腹部バンドの三本からなるイビキ防止具であるである。この三本は弾性帯で、それぞれが独立しないようにあらかじめ頭部バンドと腹部バンドを頭部後屈調節バンドで連結した形となっている。頭部バンドは頭部に取り付ける部材である。頭部後屈調節バンドは一本のバンドからなっており、バンドの中心を頭部バンドに可動できるように絡み付けてある。また腹部バンドは腹部に取り付ける部材であるが、これには二つの穴の開いた可動式の器具をあらかじめ装備しており、その穴に頭部後屈調節バンドの両末端が左右対称性に通され、穴から抜けないように連結されている。臥床した状態で調節出来るよう、全てのバンドは体の前面での付け外しが可能となっている。装着の仕方だが、まず頭部後屈調節バンドを首にくぐらせ、次に頭部バンドを頭部に、腹部バンドを腹部にそれぞれ装着する。更に首にかかった頭部後屈調節バンドの内側を両手でくぐりぬけるようにタスキ状に装着し、両先端を体の前で左右の手に取りつつ、張力を調整しながら上を向いた状態で盲目的に結び、体に固定する。
【実施例】
【００１０】構成を述べると、本発明は図１で示す通り頭部バンド１、頭部後屈調節バンド２、腹部バンド３からなる。この三本は弾性帯で、それぞれが独立しないようにあらかじめ頭部バンド１と腹部バンド３を頭部後屈調節バンド２で連結した形となっている。
頭部バンド１はリング状に形成してあり、頭部用ワンタッチ留め具部材５を設けており前額部での着脱自在な構成となっている。この留め具部材５は頭部バンド１の長さを容易に調節できる機能も有している。一本からなる頭部後屈調節バンド２の中心部に環状の可動式接続部４を構成し、この可動式接続部４の中に頭部バンド１を移動自由に通してある。
腹部バンド３にはあらかじめ可動式バンド通過部材７の如く二つの穴７１，７１の開いた部材を通してある。この可動式バンド通過部材７は方形の枠体７２よりなり、この枠体７２の中央部分に取付杆７３を設けることによって、枠体７２内部に二つの穴７１，７１が構成されている。この可動式バンド通過部材を腹部バンド３に取り付けるには、腹部バンド７を取付杆７３の上部を通すようにして穴７１，７１に通す。その後、左右の穴７１，７１に頭部後屈調節バンド２の末端をそれぞれ１本ずつ通すのである。この頭部後屈調節バンド２の端部には、穴７１から抜けるのを防止するために球状のストッパー８を設けてある。
このようにした腹部バンド３を身体に装着すると、取付杆７３が腹部バンド３によって上方より押さえつけられている為、可動式バンド通過部材７は常に身体に密着した状態となっている。その為、２本の頭部後屈調節バンド２も可動式バンド通過部材７によって腹部バンド３に押し付けられて位置がずれにくくなり、安定した状態で固定されるのである。
腹部バンド３もリング状に形成してあり、腹部用ワンタッチ留め具部材６を設けており臍部での着脱自在な構成となっている。この留め具部材６も腹部バンド３の長さを容易に調節できる機能を有している。【００１１】本発明品の装着の仕方と作用述べると、まず図１の如く三本のバンドがいずれもリング状になるように用意しておく。次に可動式接続部４を後方、可動式バンド通過部材７を前方にした状態で頭部後屈調節バンド２をリング状に維持したまま両手で持ち、リングの中心を首に通す。頭部バンド１を頭部用ワンタッチ留め具部材５が前額部に来る様に装着し強さを調節する。同様に腹部バンド３を腹部で腹部用ワンタッチ留め具部材６が前方に来る様に装着し強さを調節する。頭部後屈調節バンド２のリング状の中心を後方から前方に両手でくぐりぬけ、タスキ状になるように両肩の後ろへ回す。結果的に図２で示したような姿になる。更に顔を上に向けた状態で頭部後屈調節バンド２の先端に付いた球状ストッパー８を臍部で左右同時に取りつつ、あたかも浴衣の帯を締めるかのごとく張力を調整しながら盲目的に結ぶ。図３（Ａ）の様な頭部前屈体位では下顎先端と気道１０との距離が狭まり、結果的に舌根９の沈下を生じ気道閉塞、イビキを引き起こす。これに対し図３（Ｂ）で示した様に頭部後屈体位をすると下顎先端と気道１０との距離が広がり、結果的に舌根９の沈下を防ぐことが出来、気道１０が確保される。上記の様に装着されたバンドは頭部と腹部に固定されたバンドを左右二本に分かれた頭部後屈調節バンド２が引っ張り合う形になり、この結果として図３（Ｃ）に示したような頭部後屈体位を生み出す作用が生まれる。そして就寝中に寝返りをうったりして身体を動かしても、頭部後屈調節バンド２が弾性体であるため、また可動式接続部頭部４の存在により頭部は右あるいは左方向へ自由に動かせる。更に移動した後にも、左右二本に分かれた頭部後屈調節バンド２の弾性力によって頭部バンド１に適当な引張力が与えられているため、頭部は常に適正な位置に保たれるのである。【００１２】イビキには様々な原因があるが、肥満者など気道周囲の軟部組織に過度の脂肪沈着がある場合は、睡眠時に気道閉塞が生じイビキが発生する。一方救急医療の現場では意識障害や呼吸停止、心停止が生じると下顎をささえている筋肉の緊張が失われ、舌根が沈下して気道の閉塞が生じる。肥満であれ意識障害による舌根沈下であれ、気道閉塞がおこった場合は下顎挙上や頭部後屈、側臥位を取らせるなどの要領で気道を確保する事が一般的である。本発明はこの中から図３のごとく頭部後屈の原理を利用して発明されたイビキ防止具である。本発明品を装着することで頭部後屈体位が保持される為、睡眠時の気道確保、イビキ防止効果が得られる。【００１３】本実施例の他例として、三本のバンドの全部又は一部の素材を弾性帯以外の固定部材やベルベットファスナーで固定することも出来る。またバンドの本数を増やし強度を増したり、頭部バンドを帽子型などにして固定を安定させたりすることも可能である。
【産業上の利用可能性】
【００１４】イビキの最大の問題点は夜間睡眠時無呼吸症候群の合併である。この病気を併発してしまった者は時として命をも脅かされることになる。現在、重症の夜間睡眠時無呼吸症候群患者にとって最も確実で有効な治療とされるのは気道確保を目的とした経鼻式持続陽圧呼吸であることは既成の事実である。しかしこの装置にはいくつかの問題点がある。例えば機械がうるさい、大きい、マスクがずれやすい、装着が不快感でわずらわしい、一生涯つけなければならないのは悲しい、人から見た目が悪い、月に一度病院へ行かなければならないのは面倒くさい、邪魔で旅行に持って行けない等々である。中にはこれらを苦にして病気であるにもかかわらず機械装着を拒否し、放置してしまっている者もいる。更なる問題点は、今後増え続けていくであろう夜間睡眠時無呼吸症候群において、経鼻式持続陽圧呼吸のもたらす治療費が莫大に膨れ上がり、慢性閉塞性肺疾患等における在宅酸素療法の如く医療費の大半を占めてしまう可能性があることである。これは今後大きな社会問題となってくる可能性もあるかと考えられる。そこで、医療品とまではいかないまでも、経鼻式持続陽圧呼吸に変わるような簡易で、安値ながらも気道確保やイビキに有効、かつ安全な発明を早急に見つけなければならない現状がここにある。肥満者や夜間無呼吸症候群患者の夜間の気道閉塞や迷惑な重度のイビキも、この発明品を利用することで緩和できることが期待される。現に横向き枕、マウスピースなどは気道確保や鼾に有効な発明として多く世に出回っている。今回の発明は救急医療の現場で日常行われている気道確保の手技の中でも、特に頭部後屈の原理に注目したものである。この体位を保ちつつ、安全に睡眠できる発明となっており、イビキ防止具として産業利用できると考えられる。
【図面の簡単な説明】
【００１５】
【図１】イビキ防止具の一実施形態を示す斜視図である。
【図２】イビキ防止具の身体への装着状態を示す正面図（Ａ）、背面図（Ｂ）及び側面図（Ｃ）である。
【図３】就寝中の体位と気道の状態を示すものであり、頭部前屈体位（Ａ）、頭部後屈体位（Ｂ）及びイビキ防止具装着時の頭部後屈体位（Ｃ）の模式図である。
【符号の説明】
【００１６】  １：頭部バンド
２：頭部後屈調節バンド
３：腹部バンド
４：可動式接続部
５：頭部用ワンタッチ留め具部材
６：腹部用ワンタッチ留め具部材
７：可動式バンド通過部材
８：球状ストッパー
９：舌根部
１０：気道
【図１】
2007144076.tif 000003
【図２】
2007144076.tif 000004
2007144076.tif 000005
【図３】
2007144076.tif 000006
【手続補正書】
【提出日】平成18年2月10日(2006.2.10)
【手続補正１】
【補正対象書類名】図面
【補正対象項目名】全図
【補正方法】変更
【補正の内容】
【図１】
2007144076.tif 000007
【図２】
2007144076.tif 000008
【図３】
2007144076.tif 000009